(57)【要約】【課題】  形状、サイズが異なるチャイルドシートを適正角度で安定性良く装着することができるベビーカーを得ること。【解決手段】  ベビーカー本体に対してチャイルドシート４０を着脱可能としたベビーカーに関するものであって、逆Ｕ字状の手押し杆１５における左右の直管部１５ａに枢着されたアームレスト杆１６の先端部に連結部材１７を連結し、その左右一対の連結部材１７間に上記チャイルドシート支持用の支持フレーム２８を延設し、上記支持フレーム２８の両端部に上記チャイルドシート支持部の横幅調整用の端部キャップ２９を取り外し可能に装着する。また上記手押し杆における左右の直管部１５ａに、上記チャイルドシート４０の足元両側部を支持する少なくとも高さ方向２段の支持ブラケット３２を固着した。【選択図】  図１
2006159930.tif 000002
【特許請求の範囲】
【請求項１】
ベビーカー本体に対してチャイルドシートを着脱可能としたベビーカーにおいて、逆Ｕ字状の手押し杆における左右の直管部にそれぞれ枢着されたアームレスト杆の先端部に連結部材を設け、その左右一対の連結部材を上記チャイルドシート支持用の支持フレームにより連結し、上記支持フレームの両端部にそのチャイルドシート支持部の横幅調整用の端部キャップを取り外し可能に装着するとともに、上記手押し杆における左右の直管部に、上記チャイルドシートの足元両側部を支持する少なくとも高さ方向２段の支持ブラケットを固着したことを特徴とする、ベビーカー。
【請求項２】
上記支持フレームにはその中間部に１対のヒンジが設けられ、ベビーカー本体が三つ折り可能に構成されていることを特徴とする、請求項１記載のベビーカー。
【請求項３】
上記連結部材から突設された支持フレーム保持部材と上記端部キャップとの対向面には、上記端部キャップを支持フレームの軸線方向に移動させることにより互いに係合可能な凹凸部が形成されていることを特徴とする、請求項１または２記載のベビーカー。
【発明の詳細な説明】
【技術分野】
【０００１】
本発明は、車のシートに装着するチャイルドシートを着脱可能としたベビーカーに関する。
【背景技術】
【０００２】
一般に、例えば１歳未満のような乳幼児を乗用車に乗せるような場合にはその乗用車に装着されたチャイルドシートを使用することが行われている。そこで、上述のように乗用車のシートに装着されたチャイルドシートに乳幼児を乗せた状態で移動した場合、目的地に着いた後には上記チャイルドシートを乳幼児を寝かせたまま乗用車のシートから取り外してベビーカーに装着し、ベビーカーのシートとして使用して上記目的地での移動を容易にすることができるようにしたものが提案されている。
【特許文献１】特開２００２−２０５５８６号公報
【発明の開示】
【発明が解決しようとする課題】
【０００３】
ところで、上述のようにチャイルドシートをベビーカーに装着可能としたものにおいては、上記チャイルドシートの後部に形成された係合溝をベビーカー本体の左右のアームレスト間に延設されたチャイルドシート支持用の支持フレームに係合させて上記チャイルドシートをベビーカーに固定することが行われている。
【０００４】
しかしながら、各社のチャイルドシートの寸法が異なるため、上記チャイルドシートの寸法がそのチャイルドシートを装着するベビーカー本体の大きさに適応していない場合には、チャイルドシートの固定ができず、上記支持フレームを取り替えたり、回転させたりして寸法と角度の調節を行う必要があり、或いは装着可能なチャイルドシートの種類が限定される等の問題があった。
【０００５】
本発明は、このような点に鑑み、形状、サイズが異なるチャイルドシートを適正角度で安定性良く装着することができるベビーカーを得ることを目的とする。
【課題を解決するための手段】
【０００６】
請求項１に係る発明は、ベビーカー本体に対してチャイルドシートを着脱可能としたベビーカーにおいて、逆Ｕ字状の手押し杆における左右の直管部にそれぞれ枢着されたアームレスト杆の先端部に連結部材を設け、その左右一対の連結部材を上記チャイルドシート支持用の支持フレームにより連結し、上記支持フレームの両端部にそのチャイルドシート支持部の横幅調整用の端部キャップを取り外し可能に装着するとともに、上記手押し杆における左右の直管部に、上記チャイルドシートの足元両側部を支持する少なくとも高さ方向２段の支持ブラケットを固着したことを特徴とする。
【０００７】
請求項２に係る発明は、請求項１に係る発明において、上記支持フレームにはその中間部に１対のヒンジが設けられ、ベビーカー本体が三つ折り可能に構成されていることを特徴とする。
【０００８】
請求項３に係る発明は、請求項１または２に係る発明において、上記連結部材から突設された支持フレーム保持部材と上記端部キャップとの対向面には、上記端部キャップを支持フレームの軸線方向に移動させることにより互いに係合可能な凹凸部が形成されていることを特徴とする。  
【発明の効果】
【０００９】
上述のように、本発明は、支持フレームの両端部にそのチャイルドシート支持部の横幅調整用の端部キャップを取り外し可能に装着するとともに、手押し杆における左右の直管部に、上記チャイルドシートの足元両側部を支持する少なくとも高さ方向２段の支持ブラケットを固着したので、多種形状のチャイルドシートをベビーカーに適正角度で安定して装着可能となる等の効果を奏する。
【発明を実施するための最良の形態】
【００１０】
図１は本発明のベビーカーの概略構成を示す斜視図であって、前輪１１を有する左右１対の前脚１２、後輪１３を有する左右１対の後脚１４、ほぼＵ字状に屈曲された手押し杆１５、左右１対のアームレスト杆１６を有している。
【００１１】
上記各アームレスト杆１６の基端部は手押し杆１５の直管部１５ａに枢着されており、先端部には連結部材１７が固着されており、上記連結部材１７には前脚１２の上端、及び後脚１４の上端が枢着されている。左右の前脚１２は前側連結バー２０によって連結されており、左右の後脚１４は後側連結バー２１により連結されている。さらに各前脚１２の中間部には連結バー２２の前端がそれぞれ枢着され、その連結バー２２の後端は、それぞれ手押し杆１５の直管部１５ａに枢着されている。また左右の連結バー２２は上側連結バー２３によって連結されている。そして、これらの前脚１２、後脚１４、アームレスト杆１６、及びそれらを連結する連結バーによってベビーカー本体が構成されている。
【００１２】
後脚１４の中間部には係止部材２４が取り付けられており、図１に示すような使用可能な展開状態時に前記手押し杆１５の直管部１５ａの先端部に設けられたロック部材（図示せず）が上記係止部材２４に係合し、ベビーカー本体の展開状態を保持するようにしてある。上記ロック部材は上記直管部１５ａに摺動可能に装着されており、その直管部１５ａに設けられている操作装置２５によって直管部１５ａに沿って上下摺動操作されるようにしてある。
【００１３】
しかして、図１に示すようにロック部材が係止部材２４に係合すると、その係止部材２４を介して後脚１４と手押し杆１５の直管部１５ａとがロックされ、ベビーカー本体が使用可能な展開状態に保持される。一方、操作装置２５によってロック部材が引き上げられると、ロック部材によるロックが解放され、アームレスト杆１６、前脚１２、後脚１４が上方に揺動可能となり、携帯等に便利なように２つに折り畳むことができる。
【００１４】
一方、前記Ｕ字状の手押し杆１５のハンドル部１５ｂ、前側連結バー２０、後側連結バー２１、及び上側連結バー２３にはそれぞれ中間部の２ヵ所にジョイント１５ｂ１、１５ｂ２、２０ａ１、２０ａ２、２１ａ１、２１ａ２、２３ａ１、２３ａ２が設けられ、そのジョイントにより折り畳み可能としてある。そして、上記各ジョイントは、ジョイント１５ｂ１、２０ａ１、２１ａ１、２３ａ１  の軸線、及びジョイント１５ｂ２、２０ａ２、２１ａ２、２３ａ２ の軸線が、前脚１２と後脚１４とが互いに平行状態に折り畳まれた状態の時に、それぞれ同一軸線上に位置し、且つ互いに平行になるようにしてある。
【００１５】
しかして、前述のように前脚１２と後脚１４とが互いに平行状態になるように折り畳んだ後、手押し杆１５のハンドル部１５ｂより外側部分を前方に移動させると、各ジョイントによって手押し杆１５、前側連結バー２０、後側連結バー２１、上側連結バー２３の外側部が前方に折り曲げられ、ベビーカーを平面視コ字状の三つ折り状態にコンパクトに折り畳むことができる。
【００１６】
ところで、前記左右の連結部材１７にはＬ字状の支持フレーム保持部材２７がそれぞれ突設されており、その支持フレーム保持部材２７はチャイルドシートを支持するための支持フレーム２８により連結されている。上記支持フレーム２８にもその中間部の２ヵ所にジョイント２８ａ１、２８ａ２  が設けられており、ベビーカーを三つ折り状態にコンパクトに折り畳む場合には上記支持フレーム２８もジョイント２８ａ１、２８ａ２により折り畳まれ、上記ベビーカー本体を三つ折り状態に折り畳むことができる。
【００１７】
上記支持フレーム２８の両端部には、図２に一端部のみを拡大して示すように、チャイルドシート支持部の横幅調整用の端部キャップ２９が取り外し可能に装着されている。上記支持フレーム保持部材２７と上記端部キャップ２９との対向面には、上記端部キャップ２９を支持フレーム２８に沿って軸線方向に移動させることにより互いに係合可能な凹凸部が形成されている。すなわち、端部キャップ２９には支持フレーム保持部材２７との対向面に図３に示すように案内片３０ａ及び係合爪片３０ｂが突設されており、他方の支持フレーム保持部材２７の前記端部キャップ２９との対向面には上記案内片３０ａ及び係合爪片３０ｂが挿入係合される凹部３１が形成されている。
【００１８】
しかして、上記端部キャップ２９を支持フレーム２８にその支持フレーム２８の一側から装着し上記端部キャップ２９を支持フレーム２８の軸線方向に摺動させ、上記案内片３０ａ及び係合爪片３０ｂを凹部３１に挿入係合させることにより端部キャップ２９が図２に示すように固定される。
【００１９】
一方、上記手押し杆１５における左右の直管部１５ａには、上記チャイルドシートの足元両側部を支持する少なくとも高さ方向２段の支持ブラケット３２が固着されている。また、上記ベビーカー本体、すなわち手押し杆１５における左右の直管部１５ａにはチャイルドシート固定用のベルト３４が取り付けられている。
【００２０】
チャイルドシート４０には、図４に示すように、後部側底面に左右方向の係合溝４１が形成されている。しかして、チャイルドシート４０をベビーカー本体に装着する場合には、図４に示すように、展開状態のベビーカー本体の上方から上記チャイルドシート４０を降ろし、上記チャイルドシート４０の係合溝４１をベビーカー本体の前記支持フレーム２８に係合させるとともに、上記チャイルドシートの足元両側部が手押し杆１５の直管部１５ａに固着された高さ方向２段の支持ブラケット３２に支持させる。したがって、前記支持フレーム２８に装着された端部キャップ２９によりチャイルドシート４０の横滑りが防止されるとともに、上記チャイルドシートの足元両側部が上記支持ブラケット３２の低段部に係合支持され、チャイルドシート４０が適正角度に装着することができる。そこで、左右のベルト３４をそれぞれチャイルドシート４０のベルト係止部４２に係合させ、その左右のベルト３４を締め付けることによりチャイルドシート４０の固定を行う。図５に上記チャイルドシート４０をベビーカー本体に装着した状態を示す。
【００２１】
ところで、チャイルドシート４０のサイズが大きい場合には、前記支持フレーム２８に装着されている端部キャップ２９を軸線方向に移動させ、端部キャップ２９に設けられている案内片３０ａ及び係合爪片３０ｂを支持フレーム保持部材２７に設けられている凹部３１から引く抜き、上記端部キャップ２９を支持フレーム２８から取り外す。そして、このようにして横幅が広くなったチャイルドシート支持部にチャイルドシート４０の係合溝４１をベビーカー本体の前記支持フレーム２８に係合させるとともに、上記チャイルドシートの足元両側部を手押し杆１５の直管部１５ａに固着された支持ブラケット３２の高い方の段部に支持させる。このように、端部キャップ２９を着脱することにより、チャイルドシートの形状、サイズに応じてそのチャイルドシート支持部の横幅の調節を行うことができ、チャイルドシート４０を確実にベビーカー本体に装着することができる。
【図面の簡単な説明】
【００２２】
【図１】本発明のベビーカーの概略構成を示す斜視図。
【図２】チャイルドシートを支持する支持フレーム取付部の拡大図。
【図３】端部キャップと支持フレーム保持部材との連結を解除した状態を示す斜視図。
【図４】ベビーカー本体へのチャイルドシート取付作動説明図。
【図５】ベビーカー本体にチャイルドシートを取り付けた状態を示す図。
【符号の説明】
【００２３】
１１  前輪  
１２  前脚
１３  後輪
１４  後脚
１５  手押し杆
１５ａ  直管部
１６  アームレスト杆  
１７  連結部材
２０  前側連結バー
２１  後側連結バー
２２  連結バー
２３  上側連結バー
２５  操作装置
２７  支持フレーム保持部材
２８  支持フレーム
２９  端部キャップ
３２  支持ブラケット
３４  ベルト
４０  チャイルドシート
４１  係合溝
【図１】
2006159930.tif 000003
【図２】
2006159930.tif 000004
【図３】
2006159930.tif 000005
【図４】
2006159930.tif 000006
【図５】
2006159930.tif 000007